(57)【要約】【課題】  ユーザの意図に反するサイズの記録紙に原稿画像が印刷される事態を回避し得る画像形成装置を提供すること。【解決手段】  操作部１４を介して入力されたユーザによる操作指令に基づいて、読取り対象となる原稿のサイズを設定する原稿サイズ設定部２８と、原稿を読取り原稿画像を取得する原稿画像取得部１１と、操作部１４を介して入力されたユーザによる操作指令に基づいて、原稿画像の倍率を設定する倍率設定部２２と、原稿サイズ設定部２８により設定された原稿のサイズと同一サイズの記録紙を選定し、選定した記録紙を印刷部１５へと搬送させる記録紙選定部２５と、倍率設定部２２により設定された倍率で原稿画像のサイズを変更する原稿サイズ変更部２３と、サイズが変更された原稿画像を、記録紙選定部２５により選定されたサイズの記録紙に印刷させるように印刷部１５を制御する印刷制御部２７とを備える。【選択図】      図２
2006208971.tif 000002
【特許請求の範囲】
【請求項１】
読取り対象となる原稿を読取って原稿画像を取得する原稿画像取得手段と、
ユーザの操作指令に基づいて、原稿画像の倍率を設定し、設定した倍率で原稿画像のサイズを変更するサイズ変更手段と、
ユーザの操作指令に基づいて、前記原稿のサイズを設定する原稿サイズ設定手段と、
ユーザの操作指令に基づいて、前記サイズ変更手段によりサイズが変更された原稿画像を、当該原稿画像のサイズに適合する記録紙に印刷させる最適サイズモードと、前記サイズ変更手段によりサイズが変更された原稿画像を、前記原稿サイズ設定手段により設定されたサイズと同一サイズの記録紙に印刷させる原稿同一サイズモードとのいずれかの動作モードに設定するモード設定手段と、
前記最適サイズモードが設定されている場合、前記サイズ変更手段によりサイズが変更された原稿画像に適合するサイズの記録紙を、原稿画像を印刷する記録紙として選定し、前記原稿同一サイズモードが設定されている場合、前記原稿サイズ設定手段により設定された原稿のサイズと同一サイズの記録紙を、原稿画像を印刷する記録紙として選定する記録紙選定手段とを備え、
前記モード設定手段は、前記原稿同一サイズモードを設定している場合、前記サイズ変更手段により原稿画像のサイズが変更された場合であっても、動作モードを前記最適サイズモードに変更しないことを特徴とする画像形成装置。
【請求項２】
前記モード設定手段が、ユーザからの動作モードを設定するための操作指令を受付ける際、ユーザに当該操作指令を入力させるための操作画面を表示する表示手段を更に備えることを特徴とする請求項１記載の画像形成装置。
【請求項３】
前記記録紙選定手段は、選定した記録紙が存在するか否かを判定し、
前記記録紙選定手段により選定された記録紙が存在しないと判定された場合、当該記録紙が存在しないことをユーザに報知する報知手段を更に備えることを特徴とする請求項１又は２記載の画像形成装置。
【請求項４】
前記記録紙選定手段は、選定した記録紙が存在しないと判定した場合、前記原稿のサイズに最も近いサイズの記録紙を、原稿画像を印刷する記録紙として選定することを特徴とする請求項３記載の画像形成装置。
【発明の詳細な説明】
【技術分野】
【０００１】
本発明は、複写機等の画像形成装置に関する。
【背景技術】
【０００２】
複写機等の画像形成装置においては、設定した倍率にかかわらず、読取り対象の原稿を当該原稿と同一サイズの記録紙にコピーさせる使用態様が存在する。また、特許文献１には、設定された倍率に応じて最適なサイズの記録紙を出力する記録紙として自動的に選定する技術が開示されている。
【特許文献１】特開平１−１６１２６５号公報
【発明の開示】
【発明が解決しようとする課題】
【０００３】
しかしながら、特許文献１に記載されている技術では、設定された倍率に適合するサイズの記録紙に読取り対象の原稿がコピーされるため、ユーザが意図しないサイズの記録紙に読取り対象の原稿がコピーされてしまうという問題があった。
【０００４】
本発明の目的は、ユーザの意図に反するサイズの記録紙に原稿画像が印刷される事態を回避し得る画像形成装置を提供することである。
【課題を解決するための手段】
【０００５】
本発明による画像形成装置は、読取り対象となる原稿を読取って原稿画像を取得する原稿画像取得手段と、ユーザの操作指令に基づいて、原稿画像の倍率を設定し、設定した倍率で原稿画像のサイズを変更するサイズ変更手段と、ユーザの操作指令に基づいて、前記原稿のサイズを設定する原稿サイズ設定手段と、ユーザの操作指令に基づいて、前記サイズ変更手段によりサイズが変更された原稿画像を、当該原稿画像のサイズに適合する記録紙に印刷させる最適サイズモードと、前記サイズ変更手段によりサイズが変更された原稿画像を、前記原稿サイズ設定手段により設定されたサイズと同一サイズの記録紙に印刷させる原稿同一サイズモードとのいずれかの動作モードに設定するモード設定手段と、前記最適サイズモードが設定されている場合、前記サイズ変更手段によりサイズが変更された原稿画像に適合するサイズの記録紙を、原稿画像を印刷する記録紙として選定し、前記原稿同一サイズモードが設定されている場合、前記原稿サイズ設定手段により設定された原稿のサイズと同一サイズの記録紙を、原稿画像を印刷する記録紙として選定する記録紙選定手段とを備えることを特徴とする。
【０００６】
また、上記構成において、前記モード設定手段が、ユーザからの動作モードを設定するための操作指令を受付ける際、ユーザに当該操作指令を入力させるための操作画面を表示する表示手段を更に備えることが好ましい。
【０００７】
また、上記構成において、前記記録紙選定手段は、選定した記録紙が存在するか否かを判定し、前記記録紙選定手段により選定された記録紙が存在しないと判定された場合、当該記録紙が存在しないことをユーザに報知する報知手段を更に備えることが好ましい。
【０００８】
また、上記構成において、前記記録紙選定手段は、選定した記録紙が存在しないと判定した場合、前記原稿のサイズに最も近いサイズの記録紙を、原稿画像を印刷する記録紙として選定することが好ましい。
【発明の効果】
【０００９】
請求項１記載の発明によれば、ユーザは、倍率によらずに原稿のサイズと同一サイズの記録紙に原稿画像を印刷させたい場合は、原稿同一サイズモードを設定し、サイズが変更された原稿画像を途切れることなく印刷させたい場合は、最適サイズモードを設定することができるため、ユーザは、画像形成装置に設定されている動作モードを正確に把握することができる。その結果、ユーザの意図に反するサイズの記録紙に原稿画像が印刷されるような事態を回避することができる。
【００１０】
また、ユーザにより原稿のサイズが設定されると、設定されたサイズと同一サイズの記録紙に原稿画像が印刷されるため、ユーザは別途記録紙のサイズを設定する作業を行わなくとも、原稿と同一サイズの記録紙に原稿画像を印刷させることができる。また、原稿のサイズを設定することにより、実際に読取られる原稿とは異なるサイズであって、所望するサイズの記録紙に原稿画像を印刷させることができる。
【００１１】
請求項２記載の発明によれば、ユーザは動作モードを設定するための操作指令を容易に入力することができる。
【００１２】
請求項３記載の発明によれば、記録紙選定手段により選定された記録紙と同一サイズの記録紙が存在しない場合（用紙切れを起こしている場合、或いは当該サイズの記録紙を収納する給紙カセットを備えていない場合等）、当該記録紙が存在しないことがユーザに報知されるため、ユーザはモードに応じて最適なサイズの記録紙が存在するか否かを把握することが可能となる。
【００１３】
請求項４記載の発明によれば、記録紙選定手段により選定された記録紙と同一サイズの記録紙が存在しない場合、当該サイズに最も近いサイズの記録紙が、原稿画像を印刷する記録紙として選定されるため、記録紙選定手段により選定された記録紙が存在しない場合であっても、ユーザが意図するサイズの記録紙に原稿画像が印刷される可能性をより高めることができる。
【発明を実施するための最良の形態】
【００１４】
以下、図面を参照しつつ本発明の実施形態について説明する。図１は、本発明の実施の形態による画像形成装置の機械的構成を主に示す側面概略図である。本画像形成装置は、本体部２００と、本体部２００の左側に配設された用紙後処理部３００と、ユーザが種々の操作指令等を入力するための操作部４００と、本体部２００の上部に配設された原稿読取り部５００と、原稿読取り部５００の上方に配設された原稿給送部６００とから構成される。
【００１５】
操作部４００は、操作パネル４０１、スタートキー４０２及びテンキー４０３等を備える。操作パネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００１６】
原稿給送部６００は、原稿載置部６０１、原稿排出部６０２、給紙ローラ６０３及び原稿搬送部６０４、コンタクトガラス６０５、及び原稿検出センサ６０６、６０７等を備え、原稿読取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読取り、読取られた原稿は原稿排出部６０２に排出される。また、スキャナ５０１は、コンタクトガラス６０５に載置された原稿を読み取る場合は、Ａ方向にスライドして原稿を読み取る。原稿検出センサ６０６は、記録紙の幅方向（紙面と直交する方向）に一定の間隔を設け複数個配列されている。原稿検出センサ６０７は、コンタクトガラス６０５の裏面に複数個配列されている。
【００１７】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、排出トレイ２１０、記録紙搬送部２１１、残量センサ２１２等を備える。本実施形態では、給紙カセット２０１は、それぞれ、異なるサイズの記録紙を収納する。残量センサ２１２は、各給紙カセット２０１に配設され、給紙カセット２０１に収納された記録紙の存在の有無を検出する。
【００１８】
感光体ドラム２０５は、矢印方向に回転しながら帯電装置（図示省略）によって一様に帯電される。露光装置２０６は、原稿読取り部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー像を形成する。
【００１９】
中間転写体ローラ２０４は、感光体ドラム２０５から各色のトナー像が転写され、中間転写体ローラ２０４上にカラーのトナー像が形成される。
【００２０】
一方、給紙ローラ２０２は、記録紙が収納された給紙カセット２０１から記録紙を引き出し、記録紙搬送部２１１は、引き出された記録紙を転写ローラ２０３へと搬送する。転写ローラ２０３は、搬送された記録紙に中間転写体ローラ２０４上のトナー像を転写させる。トナー像が転写された記録紙は、記録紙搬送部２１１により定着ローラ２０８へと搬送され、定着ローラ２０８は、転写されたトナー像を加熱して記録紙に定着させる。その後、記録紙は、記録紙搬送部２１１により排出口２０９へと搬送され用紙後処理部３００に搬入される。また、記録紙は、必要に応じて排出トレイ２１０へも排出される。
【００２１】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２２】
図２は、本画像形成装置の電気的構成を示すブロック図である。本画像形成装置は、原稿画像取得部１１、操作画面記憶部１２、表示部１３、操作部１４、印刷部１５、及び制御部２０を備えている。
【００２３】
原稿画像取得部１１は、図１に示す原稿読取り部５００から構成され、原稿載置部６０１又はコンタクトガラス６０５に載置された原稿の画像を読取り、原稿画像を取得する。
【００２４】
操作画面記憶部１２は、ユーザが本画像形成装置を操作する際に表示部１３に表示される種々の操作画面を記憶している。表示部１３は、図１に示す操作パネル４０１から構成される。操作部１４は、図１に示す操作部４００から構成され、本画像形成装置の動作モードを設定する操作指令、原稿画像の倍率を設定する操作指令、及び原稿画像を印刷する記録紙のサイズを設定する操作指令等を受付ける。
【００２５】
制御部２０は、ＣＰＵ、制御プログラムを記憶するＲＯＭ、ＣＰＵの作業領域として使用されるＲＡＭ等から構成され、ＣＰＵが制御プログラムを実行することにより、モード設定部２１、倍率設定部２２、原稿サイズ変更部２３、原稿サイズ検出部２４、記録紙選定部２５、表示制御部２６、印刷制御部２７、及び原稿サイズ設定部２８として機能する。なお、制御部２０に示す機能ブロックは、本発明に関するもののみを表し、本発明に関係しないものを省略している。
【００２６】
モード設定部２１は、操作部１４により受付けられた動作モードを設定するためのユーザからの操作指令に基づいて、本画像形成装置の動作モードを設定する。本画像形成装置は、最適サイズモード、原稿同一サイズモード、原稿倍率変動モード、及びマニュアルモードの４種類の動作モードを備えている。
【００２７】
最適サイズモードは、ユーザにより設定された倍率に応じて、適合するサイズの記録紙を選定し、選定した記録紙に原稿画像を印刷するモードである。原稿同一サイズモードは、ユーザにより設定された倍率に関わらず、原稿と同一サイズの記録紙に原稿画像を印刷するモードである。原稿倍率変動モードは、原稿のサイズとユーザにより設定された記録紙のサイズとから適切な原稿画像の倍率を設定するモードである。マニュアルモードは、原稿画像の倍率及び記録紙のサイズをユーザが設定するモードである。
【００２８】
なお、従来の画像形成装置の原稿同一サイズモードでは、原稿のサイズを検出する前に、ユーザにより原稿画像の倍率が設定されると、動作モードがマニュアルモードに移行されていたが、本画像形成装置の原稿同一サイズモードは、原稿のサイズを検出する前に、ユーザにより原稿画像の倍率が設定されても、動作モードがマニュアルモードに移行されない。
【００２９】
倍率設定部２２は、操作部１４を介してユーザにより入力された原稿画像の倍率を設定する操作指令に基づいて、原稿画像の倍率を設定する。原稿サイズ変更部２３は、最適サイズモード、原稿同一サイズモード、及びマニュアルモードが設定されている場合は、倍率設定部２２により設定された原稿画像の倍率にしたがって、原稿画像取得部１１により取得された原稿画像のサイズを変更する。
【００３０】
また、原稿サイズ変更部２３は、倍率変動モードが設定されている場合は、記録紙選定部２５により選定されたサイズの記録紙（ユーザにより設定されたサイズの記録紙）の余白領域が最小となるように原稿画像の倍率を設定する。
【００３１】
原稿サイズ検出部２４は、コピー対象となる原稿が原稿載置部６０１に載置されている場合は、原稿検出センサ６０６が記録紙の先端を検出してから終端を検出するまでの時間を測定し、測定した時間に予め定められた原稿搬送速度を乗じて原稿の搬送方向のサイズを算出し、算出した搬送方向のサイズと、記録紙の幅方向に配列された複数の原稿検出センサ６０６のうち、原稿を検出した原稿検出センサ６０６の検出パターンとから、原稿がＡ３、Ａ４、Ｂ３等の定形サイズのうち、どの定形サイズに該当するかを判定し、原稿のサイズを検出する。
【００３２】
また、原稿サイズ検出部２４は、原稿がコンタクトガラス６０５に載置されている場合は、コンタクトガラス６０５の裏面に配列された複数の原稿検出センサ６０７のうち、原稿を検出した原稿検出センサ６０７の検出パターンから原稿のサイズを検出する。
【００３３】
記録紙選定部２５は、モード設定部２１が現在設定している動作モードに応じて、原稿画像を印刷する記録紙のサイズを選定し、選定したサイズの記録紙が印刷部１５に搬送されるように給紙ローラ２０２を制御する。ここで、記録紙選定部２５は、最適サイズモードが設定されている場合は、原稿サイズ変更部２３によりサイズが変更された原稿画像に対し、記録紙の余白部分の面積が最小となるサイズの記録紙を、原稿画像を印刷する記録紙として選定する。
【００３４】
また、記録紙選定部２５は、原稿同一サイズモードが設定されている場合は、原稿サイズ検出部２４により検出された原稿のサイズと同一サイズの記録紙を、原稿画像を印刷する記録紙として選定する。
【００３５】
さらに、記録紙選定部２５は、倍率変動モード及びマニュアルモードが設定されている場合は、操作部１４を介してユーザにより設定されたサイズの記録紙を、原稿画像を印刷する記録紙として設定する。
【００３６】
表示制御部２６は、操作画面記憶部１２に記憶されている種々の操作画面を読み出し表示部１３に表示させる。また、表示制御部２６は、モード設定部２１がユーザからの動作モードを設定するための操作指令を受付ける際、ユーザに動作モードを設定させるための操作画面を操作画面記憶部１２から読み出し、表示部１３に表示させる。
【００３７】
印刷制御部２７は、原稿サイズ変更部２３によりサイズが変更された原稿画像が記録紙に印刷されるように印刷部１５を制御する。原稿サイズ設定部２８は、操作部１４を介して入力されたユーザによる操作指令に従って、読取り対象となる原稿のサイズを設定する。
【００３８】
本実施の形態では、原稿画像取得部１１が原稿画像取得手段に相当し、操作部１４、倍率設定部２２及び原稿サイズ変更部２３がサイズ変更手段に相当し、操作部１４及び原稿サイズ設定部２８が原稿サイズ設定手段に相当し、モード設定部２１がモード設定手段に相当し、記録紙選定部２５が記録紙選定手段に相当し、表示部１３及び表示制御部２６が表示手段及び報知手段に相当する。
【００３９】
図３〜図５は、本画像形成装置の動作を説明するためのフローチャートである。以下、図３〜図５に示すフローチャートに従って本画像形成装置の動作を説明する。まず、ステップＳ１において、表示制御部２６は、操作画面記憶部１２に予め記憶されている動作モードを設定するための操作画面を読み出し、表示部１３に表示させる。
【００４０】
ステップＳ２において、操作部１４が、ユーザにより動作モードを設定するための操作指令を受付けた場合（ステップＳ２でＹＥＳ）、モード設定部２１は、操作指令が示す動作モードに、本画像形成装置の動作モードを設定する（Ｓ３）。
【００４１】
図７はユーザが動作モードを同一サイズモードに設定する際に表示部１３に表示される操作画面を示した図面である。図７に示す操作画面は、以下の手順を経て表示される。まず、ユーザにより操作部１４に配設されたシステムボタン（図略）が押されると、表示制御部２６は図９に示す操作画面を表示部１３に表示させる。
【００４２】
図９に示す操作画面には、本画像形成装置に対して種々の設定を行うための種々の操作ボタンが表示されている。そして、図９に示す操作画面において、「コピー初期設定」のボタンが押されると、表示制御部２６は、図１０に示す操作画面を表示部１３に表示させる。
【００４３】
図１０に示す操作画面には、複数の設定項目及び各設定項目に対する設定値が表示されている。設定項目の欄には、用紙選択、自動用紙選択設定、用紙種類の指定等の項目が表示されている。また、図１０に示す操作画面の右側には、上矢印マークが付されたボタンと下矢印マークが付されたボタンとが表示されている。ユーザは、両ボタンを押すことで、設定項目の欄に表示された設定項目のうち、いずれかの設定項目を選択することができる。そして、ユーザは、設定項目を選択した状態で、画面右下に表示された設定値変更と付されたボタンを押す。すると、表示制御部２６により図７（ａ）に示す操作画面が表示部１３に表示されることになる。
【００４４】
図７（ａ）に示す操作画面には５種類の設定項目と各設定項目に対する設定値とが表示されている。図７（ａ）の１段目に示すように自動用紙選択設定の設定項目に対して最適サイズの設定値が設定されており、現在、画像形成装置の動作モードが最適サイズモードに設定されていることが分かる。図７（ａ）に示す操作画面の右側の「設定値変更」と表示されたボタンが押されると、表示制御部２６は、図７（ｂ）に示す操作画面を表示部１３に表示させる。
【００４５】
図７（ｂ）に示す操作画面では、自動用紙選択設定との標題が付され、画面中央には最適サイズと記載されたボタンＢ１及び原稿サイズと同じと記載されたボタンＢ２が表示されている。ユーザによりボタンＢ１が押されたとき、操作部１４は動作モードを最適サイズモードに設定するための操作指令を受付ける。これにより、モード設定部２１は動作モードを最適サイズモードに設定する。一方、ユーザによりボタンＢ２が押されたとき、操作部１４は動作モードを原稿同一サイズモードに設定するための操作指令を受付ける。これにより、モード設定部２１は動作モードを同一サイズモードに設定する。
【００４６】
図７（ｂ）に示す操作画面の右上の閉じると記載されたボタン、又は元に戻すと記載されたボタンが押されると、表示制御部２６は図７（ａ）に示す操作画面を表示部１３に表示させる。
【００４７】
一方、ステップＳ２において、操作部１４がユーザからの動作モードを設定するための操作指令を受付けなかった場合（Ｓ２でＮＯ）、処理がステップＳ４に進められる。この場合、デフォルトの動作モード、或いは前回設定されていた動作モードが動作モードとして設定される。
【００４８】
ステップＳ４において、ユーザにより原稿載置部６０１、或いはコンタクトガラス６０５に原稿が載置され、原稿サイズ検出部２４が、載置された原稿のサイズを検出した場合（Ｓ４でＹＥＳ）、原稿画像取得部１１は、載置された原稿を光学的に読取り原稿画像を取得する（Ｓ５）。一方、ユーザにより原稿載置部６０１、或いはコンタクトガラス６０５に原稿に原稿が載置されず、原稿サイズ検出部２４が、原稿のサイズを検出しなかった場合（Ｓ４でＮＯ）、処理がステップＳ４に戻される。
【００４９】
ステップＳ６において、操作部１４がユーザからの原稿画像の倍率を設定する操作指令を受付けた場合（Ｓ６でＹＥＳ）、倍率設定部２２は、操作指令が示す倍率を原稿画像の倍率として設定する（Ｓ７）。一方、ステップＳ６において、操作部１４がユーザからの原稿画像の倍率を設定するための操作指令を受付けなかった場合（Ｓ６でＮＯ）、処理がステップＳ８に進められる。この場合、倍率は、１倍（１００％）が設定される。
【００５０】
ステップＳ８において、倍率設定部２２は、原稿画像取得部１１により取得された原稿画像のサイズを、倍率設定部２２により設定された倍率で変更する。ステップＳ９において、最適サイズモードが設定されている場合（Ｓ９でＡ）、記録紙選定部２５は、サイズが変更された原稿画像に適合するサイズの記録紙を、原稿画像を印刷する記録紙として選定する（Ｓ１０）。ここで、記録紙選定部２５は、給紙カセット２０１に収納された記録紙の中から、サイズが変更された原稿画像の余白領域の面積が最小となるサイズの記録紙を、原稿画像を印刷する記録紙として選定する。
【００５１】
ステップＳ９において、原稿同一サイズモードが設定されている場合（Ｓ９でＢ）、処理がステップＳ１１に進められる。ステップＳ１１において、操作部１４が原稿のサイズを設定するための操作指令を受付けた場合（Ｓ１１でＹＥＳ）、原稿サイズ設定部２８は受付けられた操作指令に従って原稿のサイズを設定し、記録紙選定部２５は原稿サイズ設定部２８により設定された原稿のサイズを出力する記録紙のサイズとして選定する（Ｓ１２）。
【００５２】
この場合、表示制御部２６は原稿のサイズを設定するための図８に示す操作画面を表示部１３に表示させる。図１０に示す操作画面は、以下のようにして表示される。図６は、表示部１３に表示されるデフォルトの操作画面の一例を示した図面である。図６に示す操作画面において、下部に配置された機能リストと付されたボタンが押されると、表示制御部２６は、画像形成装置に対して種々の設定を行うための種々のボタンが配置された図略の操作画面を表示部１３に表示させる。
【００５３】
この図略の操作画面には原稿サイズ設定と付されたボタンが配置されている。そして、ユーザは、この原稿サイズ設定と付されたボタンを押す。すると、表示制御部２６により表示部１３に図８に示す操作画面が表示されることとなる。
【００５４】
図８に示す操作画面はＡ４，Ｂ５，Ａ３，Ｂ４，Ａ５と記載された５個のボタンが表示されている。操作部１４が例えばＡ４のボタンを押すユーザからの操作指令を受付けたとき、原稿サイズ設定部２８は、読取り対象となる原稿のサイズをＡ４に設定する。このようにユーザはこれら５個のボタンの中からいずれかのボタンを押すことにより読取り対象となる原稿のサイズを設定する。
【００５５】
一方、ステップＳ１１において、操作部１４が原稿のサイズを設定するための操作指令を受付けなかった場合（Ｓ１１でＮＯ）、記録紙選定部２５は原稿サイズ検出部２４により検出された原稿のサイズを出力する記録紙のサイズとして選定する（Ｓ１４）。
【００５６】
一方、倍率変動モード、及びマニュアルモードが設定されている場合（Ｓ９でＣ）、操作部１４は、記録紙のサイズを設定するための操作指令をユーザから受け付け（Ｓ１５でＹＥＳ）、記録紙選定部２５は、操作指令が示すサイズの記録紙を、原稿画像を印刷する記録紙として選定する（Ｓ１６）。
【００５７】
ステップＳ１７において、記録紙選定部２５は、ステップＳ１０、Ｓ１３、Ｓ１４、Ｓ１６において選定した記録紙と同一サイズの記録紙が存在するか否かを残量センサ２１２の検出信号から判定し、存在する場合（Ｓ１７でＹＥＳ）、記録紙選定部２５は、選定したサイズの記録紙に対応する給紙ローラ２０２を駆動させ、選定した記録紙を印刷部１５に搬送し（Ｓ１８）、印刷制御部２７は、原稿サイズ変更部２３によりサイズが変更された原稿画像が、記録紙選定部２５により選定された記録紙に印刷されるように印刷部１５を制御する（Ｓ１９）。
【００５８】
一方、ステップＳ１７において、記録紙選定部２５が、選定した記録紙と同一サイズの記録紙が存在しないと判定した場合（Ｓ１７でＮＯ）、表示制御部２６は、記録紙選定部２５により選定された記録紙と同一サイズの記録紙が存在しないことをユーザに提示するための操作画面を操作画面記憶部１２から読み出し、表示部１３に表示させる（Ｓ２０）。この操作画面には、印刷を行うか否かのユーザからの操作指令を受付けるための操作ボタンが表示されている。
【００５９】
ステップＳ２１において、操作部１４が、ユーザから印刷を許可する操作指令を受付けた場合（Ｓ２１でＹＥＳ）、記録紙選定部２５は、選定した記録紙のサイズに最も近いサイズの記録紙を、原稿画像を印刷する記録紙として選定する（Ｓ２２）。例えば、記録紙選定部２５は、最初に選定した記録紙に対して面積が最も近いサイズの記録紙を、原稿画像を印刷する記録紙として選定する。具体的には、Ａ４、Ｂ４等の各々のサイズに対して、面積が近い順に、１又は複数の記録紙のサイズが記載された選定テーブルをＲＯＭ等の記憶装置に予め記憶させておき、この選定テーブルを参照することにより、記録紙を選定すればよい。
【００６０】
なお、記録紙選定部２５は、最初に選定した記録紙よりも面積が大きく、かつ、面積が最も近いサイズの記録紙を、原稿画像を印刷する記録紙として選定しても良い。これにより、原稿同一サイズモード、或いはマニュアルモードが設定されている場合において、サイズが変更された原稿画像が記録紙からはみ出してしまう領域をより少なくすることができる。
【００６１】
一方、ステップＳ２１において、操作部１４が、ユーザから印刷を許可しない操作指令を受付けた場合（Ｓ２１でＮＯ）、処理が終了される。
【００６２】
ステップＳ２２の処理が終了されると、引き続いてステップＳ１８及びＳ１９の処理が実行され、記録紙選定部２５により選定された記録紙に、原稿サイズ変更部２３によりサイズが変更された原稿画像が印刷され、処理が終了される。
【００６３】
図１１及び図１２はユーザが原稿載置部６０１或いはコンタクトガラス６０５に原稿を載置した後で原稿の倍率を設定したときの画像形成装置の動作を示すフローチャートである。
【００６４】
まず、ステップＳ１２１において、表示制御部２６は、操作画面記憶部１２に予め記憶されている動作モードを設定するための操作画面を読み出し、表示部１３に表示させる。
【００６５】
ステップＳ１２２において、操作部１４が、ユーザにより動作モードを設定するための操作指令を受付けた場合（ステップＳ１２２でＹＥＳ）、モード設定部２１は、操作指令が示す動作モードに、本画像形成装置の動作モードを設定する（Ｓ１２３）。
【００６６】
一方、ステップＳ１２２において、操作部１４がユーザからの動作モードを設定するための操作指令を受付けなかった場合（Ｓ１２２でＮＯ）、処理がステップＳ１２４に進められる。この場合、デフォルトの動作モード、或いは前回設定されていた動作モードが動作モードとして設定される。
【００６７】
ステップＳ１２４において、ユーザにより原稿載置部６０１、或いはコンタクトガラス６０５に原稿が載置され、原稿サイズ検出部２４が、載置された原稿のサイズを検出した場合（Ｓ１２４でＹＥＳ）、原稿画像取得部１１は、載置された原稿を光学的に読取り原稿画像を取得する（Ｓ１２５）。一方、ユーザにより原稿載置部６０１、或いはコンタクトガラス６０５に原稿に原稿が載置されず、原稿サイズ検出部２４が、原稿のサイズを検出しなかった場合（Ｓ１２４でＮＯ）、処理がステップＳ１２４に戻される。
【００６８】
ステップＳ１２６において、操作部１４がユーザからの原稿画像の倍率を設定する操作指令を受付けた場合（Ｓ１２６でＹＥＳ）、倍率設定部２２は、操作指令が示す倍率を原稿画像の倍率として設定する（Ｓ１２７）。一方、ステップＳ１２６において、操作部１４がユーザからの原稿画像の倍率を設定するための操作指令を受付けなかった場合（Ｓ１２６でＮＯ）、処理がステップＳ１２８に進められる。この場合、倍率は、１倍（１００％）が設定される。
【００６９】
ステップＳ１２８において、倍率設定部２２は、原稿画像取得部１１により取得された原稿画像のサイズを、倍率設定部２２により設定された倍率で変更する。ステップＳ１２９において、最適サイズモードが設定されている場合（Ｓ１２９でＡ）、記録紙選定部２５は、サイズが変更された原稿画像に適合するサイズの記録紙を、原稿画像を印刷する記録紙として選定する。ここで、記録紙選定部２５は、給紙カセット２０１に収納された記録紙の中から、サイズが変更された原稿画像の余白領域の面積が最小となるサイズの記録紙を、原稿画像を印刷する記録紙として選定する。
【００７０】
ステップＳ１２９において、原稿同一サイズモードが設定されている場合（Ｓ１２９でＢ）、記録紙選定部２５は、原稿サイズ検出部２４により検出された原稿のサイズと同一サイズの記録紙を、原稿画像を印刷する記録紙として選定する（Ｓ１３１）。また、倍率変動モード、及びマニュアルモードが設定されている場合（Ｓ１２９でＣ）、操作部１４は、記録紙のサイズを設定するための操作指令をユーザから受け付け（Ｓ１３２でＹＥＳ１）、記録紙選定部２５は、操作指令が示すサイズの記録紙を、原稿画像を印刷する記録紙として選定する（Ｓ１３３）。なお、ステップＳ１３２において、操作部１４が記録紙のサイズを設定するためのユーザからの操作指令を受付けなかった場合（Ｓ１３２でＮＯ）、処理がステップＳ１３２に戻される。
【００７１】
ステップＳ１３４において、記録紙選定部２５は、ステップＳ１３０、Ｓ１３１、Ｓ１３３において選定した記録紙と同一サイズの記録紙が存在するか否かを残量センサ２１２の検出信号から判定し、存在する場合（Ｓ１３４でＹＥＳ）、記録紙選定部２５は、選定したサイズの記録紙に対応する給紙ローラ２０２を駆動させ、選定した記録紙を印刷部１５に搬送し（Ｓ１３５）、印刷制御部２７は、原稿サイズ変更部２３によりサイズが変更された原稿画像が、記録紙選定部２５により選定された記録紙に印刷されるように印刷部１５を制御する（Ｓ１３６）。
【００７２】
一方、ステップＳ１１４において、記録紙選定部２５が、選定した記録紙と同一サイズの記録紙が存在しないと判定した場合（Ｓ１３４でＮＯ）、表示制御部２６は、記録紙選定部２５により選定された記録紙と同一サイズの記録紙が存在しないことをユーザに提示するための操作画面を操作画面記憶部１２から読み出し、表示部１３に表示させる（Ｓ１３７）。この操作画面には、印刷を行うか否かのユーザからの操作指令を受付けるための操作ボタンが表示されている。
【００７３】
ステップＳ１３８において、操作部１４が、ユーザから印刷を許可する操作指令を受付けた場合（Ｓ１３８でＹＥＳ）、記録紙選定部２５は、選定した記録紙のサイズに最も近いサイズの記録紙を、原稿画像を印刷する記録紙として選定する（Ｓ１３９）。例えば、記録紙選定部２５は、最初に選定した記録紙に対して面積が最も近いサイズの記録紙を、原稿画像を印刷する記録紙として選定する。具体的には、Ａ４、Ｂ４等の各々のサイズに対して、面積が近い順に、１又は複数の記録紙のサイズが記載された選定テーブルをＲＯＭ等の記憶装置に予め記憶させておき、この選定テーブルを参照することにより、記録紙を選定すればよい。
【００７４】
なお、記録紙選定部２５は、最初に選定した記録紙よりも面積が大きく、かつ、面積が最も近いサイズの記録紙を、原稿画像を印刷する記録紙として選定しても良い。これにより、原稿同一サイズモード、或いはマニュアルモードが設定されている場合において、サイズが変更された原稿画像が記録紙からはみ出してしまう領域をより少なくすることができる。一方、ステップＳ１３８において、操作部１４が、ユーザから印刷を許可しない操作指令を受付けた場合（Ｓ１３８でＮＯ）、処理が終了される。
【００７５】
ステップＳ１３９の処理が終了されると、引き続いてステップＳ１３５及びＳ１３６の処理が実行され、記録紙選定部２５により選定された記録紙に、原稿サイズ変更部２３によりサイズが変更された原稿画像が印刷され、処理が終了される。
【００７６】
以上説明したように、本実施の形態の画像形成装置によれば、読取り対象となる原稿と同一サイズの記録紙に原稿画像を印刷させたい場合は、同一サイズモードを設定し、サイズが変更された原稿画像を途切れることなく印刷させたい場合は、最適サイズモードを設定することができるため、ユーザは、画像形成装置に設定されている動作モードを正確に把握することができる。その結果、ユーザの意図に反するサイズの記録紙に原稿画像が印刷されるような事態を回避することができる。
【００７７】
また、ユーザにより原稿のサイズが設定されると、設定されたサイズと同一サイズの記録紙に原稿画像が印刷されるため、ユーザは別途記録紙のサイズを設定する作業を行わなくとも、原稿と同一サイズの記録紙に原稿画像を印刷させることができる。また、原稿のサイズを設定することにより、実際に読取られる原稿とは異なり、かつ、所望するサイズの記録紙に原稿画像を印刷させることができる。
【００７８】
また、録紙選定部２５が最初に選定した記録紙と同一サイズの記録紙が存在しない場合は、当該サイズに最も近いサイズの記録紙が選定されるため、ユーザが所望するサイズにより近い記録紙に原稿画像を印刷させることができる。
【００７９】
また、原稿同一サイズモードが設定されている状態において、原稿のサイズが検出された後でユーザにより倍率の設定がなされても、動作モードが変更されないため、ユーザは、倍率を設定する操作に引き続いて記録紙のサイズを設定する操作を行う必要が無く、ユーザに対する操作負担の軽減を図ることができる。
【００８０】
なお、原稿同一サイズモード、或いはマニュアルモードが設定されている場合において、表示制御部２６は、記録紙選定部２５により選定された記録紙に原稿サイズ変更部２３によりサイズが変更された原稿画像を印刷した状態を印刷前にユーザに提示するプレビュー画像を生成して表示部１３に表示させ、ユーザから印刷を許可する操作指令が入力されたときに、原稿画像を記録紙に印刷するようにしても良い。これにより、ユーザが所望する画像が記録紙に印刷されないようなコピーミスを減少させることができる。
【図面の簡単な説明】
【００８１】
【図１】本発明の実施の形態による画像形成装置の機械的構成を主に示す側面概略図である。
【図２】本画像形成装置の電気的構成を示すブロック図である。
【図３】本画像形成装置の動作を説明するためのフローチャートである。
【図４】本画像形成装置の動作を説明するためのフローチャートである。
【図５】本画像形成装置の動作を説明するためのフローチャートである。
【図６】ユーザが動作モードを同一サイズモードに設定する際に表示部に表示される操作画面を示した図面である。
【図７】ユーザが動作モードを同一サイズモードに設定する際に表示部１３に表示される操作画面を示した図面である。
【図８】ユーザが同一サイズモードにおいて読取り対象となる原稿のサイズを設定する際に表示部に表示される操作画面を示している。
【図９】操作画面の一例を示した図面である。
【図１０】操作画面の一例を示した図面である。
【図１１】本画像形成装置の動作を説明するためのフローチャートである。
【図１２】本画像形成装置の動作を説明するためのフローチャートである。
【符号の説明】
【００８２】
１１  原稿画像取得部
１２  操作画面記憶部
１３  表示部
１４  操作部
１５  印刷部
２０  制御部
２１  モード設定部
２２  倍率設定部
２３  原稿サイズ変更部
２４  原稿サイズ検出部
２５  記録紙選定部
２６  表示制御部
２７  印刷制御部
２８  原稿サイズ設定部
【図１】
2006208971.tif 000003
【図２】
2006208971.tif 000004
【図３】
2006208971.tif 000005
【図４】
2006208971.tif 000006
【図５】
2006208971.tif 000007
【図６】
2006208971.tif 000008
【図７】
2006208971.tif 000009
【図８】
2006208971.tif 000010
【図９】
2006208971.tif 000011
【図１０】
2006208971.tif 000012
【図１１】
2006208971.tif 000013
【図１２】
2006208971.tif 000014